(57)【要約】  【課題】  どのチャンネルにおいても出力信号の所定の特性を最良にすることができるともにチャンネル切り替え時に安定するまでに要する時間が短いチューナ装置を提供する。  【解決手段】局部発振回路８Ｕ及び８Ｖと、局部発振回路８Ｕの入力信号伝送ライン上に設けられるバンドパスフィルタ３Ｕ、５Ｕ、及び６Ｕと、局部発振回路８Ｖの入力信号伝送ライン上に設けられるバンドパスフィルタ３Ｖ、５Ｖ、及び６Ｖと、ＩＦ信号ＩＦ＿ＯＵＴの所定の特性が最良になるための必要条件を記憶するメモリ１２と、前記必要条件に基づいて、局部発振回路８Ｕ並びに前記バンドパスフィルタ３Ｕ、５Ｕ、及び６Ｕの各回路に供給する同調電圧を各回路毎に個別に制御するとともに、局部発振回路８Ｖ並びに前記バンドパスフィルタ３Ｖ、５Ｖ、及び６Ｖの各回路に供給する同調電圧を各回路毎に個別に制御するマイコン１３とを備えることを特徴とするチューナ装置。【選択図】      図１
2006100894.tif 000002
【特許請求の範囲】
【請求項１】
局部発振回路と、
前記局部発振回路からの局部発振信号によって周波数変換される信号を伝送する信号伝送ライン上に設けられる少なくとも一つの同調回路と、
チューナ装置から出力される信号の所定の特性が最良になるための必要条件を記憶する記憶部と、
前記必要条件に基づいて、前記局部発振回路及び前記少なくとも一つの同調回路の各回路に供給する同調電圧を各回路毎に個別に制御する制御部とを備えることを特徴とするチューナ装置。
【請求項２】
前記チューナ装置から出力される信号の所定の特性が前記チューナ装置から出力される信号のレベルである請求項１に記載のチューナ装置。
【請求項３】
前記チューナ装置から出力される信号の所定の特性がイメージ妨害比である請求項１に記載のチューナ装置。
【請求項４】
前記チューナ装置から出力される信号の所定の特性がビート妨害である請求項１に記載のチューナ装置。
【請求項５】
前記チューナ装置から出力される信号の所定の特性が最良になるための必要条件が、所定の使用地域に特有の問題を回避するための条件である請求項１に記載のチューナ装置。
【請求項６】
前記局部発振回路と前記少なくとも一つの同調回路とを有する回路ブロックを２系統以上備え、
前記制御部が、前記必要条件に基づいて、前記回路ブロック全系統における前記局部発振回路及び前記少なくとも一つの同調回路の各回路に供給する同調電圧を各回路毎に個別に制御する請求項１〜５のいずれかに記載のチューナ装置。
【請求項７】
前記局部発振回路と、前記少なくとも一つの同調回路と、前記記憶部と、前記制御部とがモジュール化されている請求項１〜６のいずれかに記載のチューナ装置。
【請求項８】
請求項１〜７のいずれかに記載のチューナ装置を備えることを特徴とする受信装置。
【請求項９】
請求項８に記載の受信装置を備えることを特徴とする電気機器。
【発明の詳細な説明】
【技術分野】
【０００１】
本発明は、チューナ装置に関し、特に局部発振回路と少なくとも一つの同調回路とを備えたチューナ装置に関する。
【背景技術】
【０００２】
日本のテレビ受信器に内蔵される従来のチューナ装置の一構成例を図５に示す。図５に示す従来のチューナ装置２０１は、入力端子１と、ハイパスフィルタ２と、バンドパスフィルタ３Ｕ、ＲＦアンプ４Ｕ、バンドパスフィルタ５Ｕ、バンドパスフィルタ６Ｕ、ミキサ７Ｕ、及び局部発振回路８ＵからなるＵＨＦ(Ultra High Frequency)部と、バンドパスフィルタ３Ｖ、ＲＦアンプ４Ｖ、バンドパスフィルタ５Ｖ、バンドパスフィルタ６Ｖ、ミキサ７Ｖ、及び局部発振回路８ＶからなるＶＨＦ(Very High Frequency)部と、ＩＦアンプ９と、ローパスフィルタ１０と、ＰＬＬ(Phase Locked Loop)回路１１と、ＡＧＣ電圧ＶAGCを入力する端子と、アドレスデータＡＤＤＲＥＳＳを入出力する端子と、シリアルクロックＳＣＬを入出力する端子と、シリアルデータＳＤＡを入出力する端子と、ＢＰ電圧ＶBPを入力する端子と、ＢＴ電圧ＶBTを入力する端子と、ＩＦ信号ＩＦ＿ＯＵＴを出力する端子とによって構成される。
【０００３】
図５に示す従来のチューナ装置２０１では、ＰＬＬ回路１１がＩ２Ｃバスによって受信希望チャンネルデータを入力し、その受信希望チャンネルデータに応じた同調電圧ＶＴを局部発振回路８Ｕ及び８Ｖに出力する。受信希望チャンネルデータには、受信希望チャンネルを選局する際の局部発振周波数のデータを用いることが一般的である。
【０００４】
局部発振回路８Ｕ及び８Ｖ内の可変容量ダイオードに同調電圧ＶＴが印加され、同調電圧ＶＴに応じた局部発振周波数の信号が局部発振回路８Ｕ及び８Ｖから発振される。ＰＬＬ回路１１は、局部発振回路８Ｕ及び８Ｖからそれぞれ発振される信号を入力し、局部発振回路８Ｕ又は８Ｖから発振される信号の分周信号の位相と基準周波数の信号の位相とが一致するように同調電圧ＶＴを変化させる。そして、局部発振回路８Ｕ又は８Ｖの局部発振信号が受信希望チャンネルデータから求まる受信希望チャンネルを選局する際の局部発振周波数に安定した時点で、同調電圧ＶＴの変化が収束する。
【０００５】
なお、図５に示す従来のチューナ装置２０１には、全構成部品をモジュール化しているものやＰＬＬ回路１１以外の構成部品をモジュール化しているものがある。図５に示す従来のチューナ装置２０１においては、ＰＬＬ回路１１がＩ２Ｃバスによって受信希望チャンネルデータを入力したが、ＰＬＬ回路が３ワイヤー方式で受信希望チャンネルデータを入力するものもあり、いずれの入力方式も一般的である。
【０００６】
続いて、日本のテレビ受信器に内蔵される従来のチューナ装置の他の構成例を図６に示す。なお、図６において図５と同一の部分には同一の符号を付す。図６に示す従来のチューナ装置２０２は、ボルテージシンセサイザー方式のチューナ装置であり、図５に示す従来のチューナ装置２０１からＰＬＬ回路１１と、アドレスデータＡＤＤＲＥＳＳを入出力する端子と、シリアルクロックＳＣＬを入出力する端子と、シリアルデータＳＤＡを入出力する端子と、ＢＰ電圧ＶBPを入力する端子と、ＢＴ電圧ＶBTを入力する端子とを取り除き、同調電圧ＶＴを入力する端子を新たに設け、局部発振回路８Ｕから発振される信号がミキサ７Ｕのみに出力され、局部発振回路８Ｖから発振される信号がミキサ７Ｖのみに出力され、同調電圧ＶＴが外部から供給される構成である。
【０００７】
図５に示す従来のチューナ装置２０１及び図６に示す従来のチューナ装置２０２では、同調電圧ＶＴは局部発振回路８Ｕ及び８Ｖのみではなく複数の同調回路（バンドパスフィルタ３Ｕ、３Ｖ、５Ｕ、５Ｖ、６Ｕ、及び６Ｖ）にも供給される。同調回路であるバンドパスフィルタ３Ｕ、３Ｖ、５Ｕ、５Ｖ、６Ｕ、及び６Ｖはそれぞれ局部発振回路８Ｕ及び８Ｖ同様に可変容量ダイオードを具備している。同調回路であるバンドパスフィルタ３Ｕ、３Ｖ、５Ｕ、５Ｖ、６Ｕ、及び６Ｖ内の各可変容量ダイオードに同調電圧ＶＴが印加され、同調回路であるバンドパスフィルタ３Ｕ、３Ｖ、５Ｕ、５Ｖ、６Ｕ、及び６Ｖはそれぞれ同調電圧ＶＴに応じた同調周波数で帯域制限を行う。入力端子１から入力された信号は、同調回路であるバンドパスフィルタを経て必要な周波数帯域のみに帯域制限された後、ミキサへ入力され、局部発振回路から発振される信号と混合されることにより選局されＩＦ信号に変換される。
【特許文献１】特開昭５９−１１５６３７号公報
【特許文献２】特開平２−２９１１２号公報（第１図）
【発明の開示】
【発明が解決しようとする課題】
【０００８】
日本のテレビ受信器の場合少なくともＶＨＦ Ｌｏｗバンドで１〜３ｃｈ、ＶＨＦ Ｈｉｇｈバンドで４〜１２ｃｈ、ＵＨＦで１３〜６２ｃｈの範囲を受信する必要があり、これらのチャンネルの中から単一の受信希望チャンネルを選局するのがチューナ装置の役割である。
【０００９】
チューナ装置から出力される信号の所定の特性を極力最良に近づけるため、製造時に各種の調整によりどの受信チャンネルにおいても同調回路の特性を最適にする事を目標に同調回路等の調整を行うが、図５や図６に示す従来のチューナ装置では、局部発振回路及び各同調回路に共通の同調電圧ＶＴが供給される構成であるため、各段の同調回路の周辺定数の違いや個々のチューナ装置間のばらつき等ですべて同調回路の特性を最適に調整する事は難しく、妥協点にて調整しているのが実情である。なお、上記調整は通常人手によるところが主であった。
【００１０】
また、局部発振回路及び各同調回路それぞれに別個のＰＬＬ回路から別個の同調電圧を供給する構成のチューナ装置も提案されているが、かかるチューナ装置ではまず局部発振回路が安定した後、数段ある同調回路の制御を１段ずつ回路毎に行う必要がある為、チャンネル切り替え時に安定するまでに要する時間が長くなり、使用者がテレビ受信器を視聴する際にストレスを感じるという問題があった。
【００１１】
また、特許文献２において提案されているチューナ装置は、各段のバンドパスフィルタの可変容量ダイオードに各段個別にチューナのＩＦ出力レベルが最大になるように同調電圧を供給しているので、チューナ装置から出力される信号の所定の特性（ＩＦ出力レベル）を最良にすることができる。しかしながら、特許文献２において提案されているチューナ装置では、まず局部発振回路の局部発振器が安定した後、局部発振回路を制御するＰＬＬ回路に出力した同調電圧と同一の値の同調電圧が各段のバンドパスフィルタの可変容量ダイオードに印加され、各段のバンドパスフィルタが粗調され、その後チューナのＩＦ出力レベルが最大になるように各段のバンドパスフィルタの可変容量ダイオードに印加される同調電圧を順次変化させ、各段のバンドパスフィルタを順次微調整する。このため、特許文献２において提案されているチューナ装置を用いた場合、チャンネル切り替え時に安定するまでに要する時間が長くなり、使用者がテレビ受信器を視聴する際にストレスを感じるという問題があった。
【００１２】
本発明は、上記の問題点に鑑み、どのチャンネルにおいても出力信号の所定の特性を最良にすることができるともにチャンネル切り替え時に安定するまでに要する時間が短いチューナ装置並びにこれを備える受信装置及び電気機器を提供することを目的とする。
【課題を解決するための手段】
【００１３】
上記目的を達成するために本発明は、局部発振回路と、前記局部発振回路からの局部発振信号によって周波数変換される信号を伝送する信号伝送ライン上に設けられる少なくとも一つの同調回路と、チューナ装置から出力される信号の所定の特性が最良になるための必要条件を記憶する記憶部と、前記必要条件に基づいて、前記局部発振回路及び前記少なくとも一つの同調回路の各回路に供給する同調電圧を各回路毎に個別に制御する制御部とを備える構成とする。
【００１４】
このような構成によると、チューナ装置から出力される信号の所定の特性が最良になるための必要条件に基づいて、局部発振回路及び少なくとも一つの同調回路の各回路に供給する同調電圧が各回路毎に個別に制御されるので、どのチャンネルにおいてもチューナ装置から出力される信号の所定の特性を最良にすることができる。また、局部発振回路からの局部発振信号によって周波数変換される信号を伝送する信号伝送ライン上に設けられる同調回路が数段ある場合でも、数段ある同調回路の調整を１段ずつする必要がないので、チャンネル切り替え時安定するまでに要する時間が短くなる。
【００１５】
なお、前記チューナ装置から出力される信号の所定の特性が最良になるための必要条件としては、例えば、前記チューナ装置から出力される信号のレベルが最大になる条件、イメージ妨害比が最良になる条件、ビート妨害が最良になる条件、或いは所定の使用地域に特有の問題を回避するための条件が挙げられる。
【００１６】
また、上記構成のチューナ装置において、前記局部発振回路と前記少なくとも一つの同調回路とを有する回路ブロックを２系統以上備え、前記制御部が、前記必要条件に基づいて、前記回路ブロック全系統における前記局部発振回路及び前記少なくとも一つの同調回路の各回路に供給する同調電圧を各回路毎に個別に制御するようにしてもよい。
【００１７】
このような構成によると、受信希望チャンネルの受信用でない回路ブロックに供給される同調電圧を、受信希望チャンネルの受信用でない回路ブロックにおいて不要な周波数帯が同調されてチューナ出力されないような同調電圧にすることができる。これにより、不必要な同調による悪影響を防止することができる。
【００１８】
また、上記各構成のチューナ装置において、前記局部発振回路と、前記少なくとも一つの同調回路と、前記記憶部と、前記制御部とをモジュール化してもよい。
【００１９】
チューナ装置の記憶部及び制御部以外の構成部品がモジュール化される場合は、モジュール体の製造メーカがモジュール体と個々のモジュール体に対応する記録媒体とをセットメーカに提供する必要があったが、上記のように記憶部及び前記制御部を含めてモジュールすると、モジュール体の製造メーカが個々のモジュール体に対応する記録媒体をセットメーカに提供する必要がなくなり、セットメーカ側での記憶部に上記記録媒体のデータを記憶させる作業が不要になる。
【００２０】
また、上記目的を達成するために、本発明に係る受信装置は上記いずれかの構成のチューナ装置を備え、本発明に係る電気機器は前記受信装置を備えるようにする。
【発明の効果】
【００２１】
本発明によると、どのチャンネルにおいても出力信号の所定の特性を最良にすることができるともにチャンネル切り替え時に安定するまでに要する時間が短いチューナ装置並びにこれを備える受信装置及び電気機器を実現することができる。
【発明を実施するための最良の形態】
【００２２】
本発明の実施形態について図面を参照して以下に説明する。本発明の第一実施形態に係るチューナ装置の構成を図１に示す。なお、図１において図５と同一の部分には同一の符号を付し詳細な説明を省略する。
【００２３】
図１に示すチューナ装置１０１は、日本のテレビ受信器に内蔵されるチューナ装置であって、入力端子１と、ハイパスフィルタ２と、バンドパスフィルタ３Ｕ、ＲＦアンプ４Ｕ、バンドパスフィルタ５Ｕ、バンドパスフィルタ６Ｕ、ミキサ７Ｕ、及び局部発振回路８ＵからなるＵＨＦ部と、バンドパスフィルタ３Ｖ、ＲＦアンプ４Ｖ、バンドパスフィルタ５Ｖ、バンドパスフィルタ６Ｖ、ミキサ７Ｖ、及び局部発振回路８ＶからなるＶＨＦ部と、ＩＦアンプ９と、ローパスフィルタ１０と、メモリ１２と、マイクロコンピュータ（以下、マイコンという）１３と、ＡＧＣ電圧ＶAGCを入力する端子と、アドレスデータＡＤＤＲＥＳＳを入出力する端子と、シリアルクロックＳＣＬを入出力する端子と、シリアルデータＳＤＡを入出力する端子と、ＢＰ電圧ＶBPを入力する端子と、ＢＴ電圧ＶBTを入力する端子と、ＩＦ信号ＩＦ＿ＯＵＴを出力する端子とによって構成される。
【００２４】
なお、メモリ１２、マイコン１３、アドレスデータＡＤＤＲＥＳＳを入出力する端子、シリアルクロックＳＣＬを入出力する端子、シリアルデータＳＤＡを入出力する端子、ＢＰ電圧ＶBPを入力する端子、及びＢＴ電圧ＶBTを入力する端子以外の構成部品はモジュール化されておりモジュール体１４を形成している。
【００２５】
マイコン１３は、Ｉ２Ｃバスによって受信希望チャンネルデータを入力する。メモリ１２は、ＩＦ信号ＩＦ＿ＯＵＴの所定の特性が最良になるための必要条件であるチャンネル毎の同調電圧Ｖ１〜Ｖ４の値を記憶している。マイコン１３は、受信希望チャンネルに対応する同調電圧Ｖ１〜Ｖ４の値をメモリ１２から読み出し、メモリ１２から読み出した情報に応じた同調電圧Ｖ１〜Ｖ４を生成し、同調電圧Ｖ１を局部発振回路８Ｕ及び８Ｖに出力し、同調電圧Ｖ２をバンドパスフィルタ３Ｕ及び３Ｖに出力し、同調電圧Ｖ３をバンドパスフィルタ５Ｕ及び５Ｖに出力し、同調電圧Ｖ４をバンドパスフィルタ６Ｕ及び６Ｖに出力する。これにより、どのチャンネルにおいてもＩＦ信号ＩＦ＿ＯＵＴの所定の特性を最良にすることができる。また、数段あるバンドパスフィルタの調整を１段ずつする必要がないので、チャンネル切り替え時安定するまでに要する時間が短くなる。
【００２６】
例えば、受信希望チャンネルがＶＨＦ Ｈｉｇｈバンドの１０ｃｈである場合を考えると、マイコン１３は、Ｉ２Ｃバスによって入力された受信希望チャンネルデータを解読し、受信希望チャンネルに対応する同調電圧Ｖ１〜Ｖ４の値をメモリ１２から読み出し、メモリ１２から読み出した情報に応じた同調電圧Ｖ１〜Ｖ４を生成し、同調電圧Ｖ１を局部発振回路８Ｕ内の可変容量ダイオード及び局部発振回路８Ｖ内の可変容量ダイオードに印加し、同調電圧Ｖ２をバンドパスフィルタ３Ｕ内の可変容量ダイオード及びバンドパスフィルタ３Ｖ内の可変容量ダイオードに印加し、同調電圧Ｖ３をバンドパスフィルタ５Ｕ内の可変容量ダイオード及びバンドパスフィルタ５Ｖ内の可変容量ダイオードに印加し、同調電圧Ｖ４をバンドパスフィルタ６Ｕ内の可変容量ダイオード及びバンドパスフィルタ６Ｖ内の可変容量ダイオードに印加する。これにより、１０ｃｈを選局したときのＩＦ信号ＩＦ＿ＯＵＴの所定の特性を最良にするのに最適な同調特性を得ることができる。したがって、１０ｃｈを選局したときのＩＦ信号ＩＦ＿ＯＵＴの所定の特性を最良にすることができる。
【００２７】
次に、ＩＦ信号ＩＦ＿ＯＵＴの所定の特性が最良になるための必要条件をメモリ１２に記憶させる手順の一例について図２を参照して説明する。なお、図２において図１と同一の部分には同一の符号を付し詳細な説明を省略する。
【００２８】
モジュール体１４の製造が完了すると、モジュール体１４の入力端子１にＶＨＦ帯及びＵＨＦ帯の高周波信号を発振する信号発振器１５を接続し、モジュール体１４の局部発振回路８Ｕ及び８Ｖ、ＩＦ信号ＩＦ＿ＯＵＴが出力される端子、並びに同調電圧ラインに出力測定器１６が接続される。なお、出力測定器１６は、ＣＤ−ＲＯＭ等の記憶媒体にデータを書き込むことができる。
【００２９】
信号発振器１５が高周波信号を発振している状態で、出力測定器１６が、同調電圧Ｖ１〜Ｖ４を出力し、ＩＦ信号ＩＦ＿ＯＵＴを入力してＩＦ信号ＩＦ＿ＯＵＴの所定の特性を評価して、ＩＦ信号ＩＦ＿ＯＵＴの所定の特性が最良になる同調電圧Ｖ１〜Ｖ４それぞれの値を検出し、検出した同調電圧Ｖ１〜Ｖ４それぞれの値をＣＤ−ＲＯＭ等の記憶媒体に記憶する。このような処理を各チャンネルについて行う。
【００３０】
モジュール体１４の製造メーカは、モジュール体１４と個々のモジュール体に対応する上記記録媒体とをセットメーカに提供する。セットメーカは、メモリ１２に上記記録媒体のデータを記憶させ、メモリ１２、マイコン１３、及びモジュール体１４を用いてテレビ受信器を製造する。このような製造手順を採用することにより、従来のチューナ装置を製造する際に行っていた人手による同調回路の調整作業を廃止することができる。
【００３１】
続いて、上述したＩＦ信号ＩＦ＿ＯＵＴの所定の特性をＩＦ信号ＩＦ＿ＯＵＴのレベルとした場合について説明する。例として１ｃｈを受信した際のＩＦ信号ＩＦ＿ＯＵＴのレベルが最大になるための必要条件を記録媒体に記憶させる手順について図２を参照して説明する。
【００３２】
まず、信号発振器１５が１ｃｈに対応する高周波信号である９１．２５ＭＨｚ〜９５．７５ＭＨｚ帯域の高周波信号を発振している状態で、出力測定器１６は、局部発振回路８Ｕ及び８Ｖの局部発振周波数が１ｃｈに対応する周波数である１５０ＭＨｚと一致するように同調電圧Ｖ１を制御し、その後同調電圧Ｖ２〜Ｖ４を順次スイープする。この際、出力測定器１６は、ＩＦ信号ＩＦ＿ＯＵＴを入力しＩＦ信号ＩＦ＿ＯＵＴのレベルを検出して、ＩＦ信号ＩＦ＿ＯＵＴのレベルが最大になる同調電圧Ｖ２〜Ｖ４それぞれの値を検出し、検出した同調電圧Ｖ２〜Ｖ４それぞれの値と同調電圧Ｖ１の値を１ｃｈと対応させてＣＤ−ＲＯＭ等の記憶媒体に記憶する。
【００３３】
その後、信号発振器１５が２ｃｈに対応する高周波信号である９７．２５ＭＨｚ〜１０１．７５ＭＨｚ帯域の高周波信号を発振し、１ｃｈの場合と同様の方法で同調電圧Ｖ１〜Ｖ４それぞれの値を２ｃｈと対応させてＣＤ−ＲＯＭ等の記憶媒体に記憶する。これを必要なチャンネル分繰り返す。
【００３４】
また、ＩＦ信号ＩＦ＿ＯＵＴの最大レベルが大き過ぎて、他のチャンネルにおけるＩＦ信号ＩＦ＿ＯＵＴの最大レベルとの差が所定値を越える場合、他のチャンネルにおけるＩＦ信号ＩＦ＿ＯＵＴの最大レベルとの差が所定値を越えないレベルになる同調電圧Ｖ２〜Ｖ４を検出し、その検出した同調電圧Ｖ２〜Ｖ４の値をＩＦ信号ＩＦ＿ＯＵＴのレベルが最大になる同調電圧Ｖ２〜Ｖ４に代えてＣＤ−ＲＯＭ等の記憶媒体に記憶するようにしてもよい。これより、チャンネル間のＩＦ信号ＩＦ＿ＯＵＴのレベルばらつきを少なくすることができる。
【００３５】
続いて、上述したＩＦ信号ＩＦ＿ＯＵＴの所定の特性をイメージ妨害比とした場合について説明する。例として１ｃｈを受信した際のイメージ妨害比が最良になるための必要条件を記録媒体に記憶させる手順について図２を参照して説明する。
【００３６】
まず、信号発振器１５が１ｃｈに対応する高周波信号である９１．２５ＭＨｚ〜９５．７５ＭＨｚ帯域の高周波信号を発振している状態で、出力測定器１６は、局部発振回路８Ｕ及び８Ｖの局部発振周波数が１ｃｈに対応する周波数である１５０ＭＨｚと一致するように同調電圧Ｖ１を制御し、１ｃｈ帯域の高周波信号を入力したときのＩＦ信号のレベルを検出し、その後、信号発振器１５が１ｃｈのイメージ周波数である２０４．２５ＭＨｚ〜２０８．７５ＭＨｚ帯域の高周波信号を発振している状態で、イメージ周波数の高周波信号を入力したときのＩＦ信号のレベルを検出し、１ｃｈ帯域の高周波信号を入力したときのＩＦ信号のレベルとイメージ周波数の高周波信号を入力したときのＩＦ信号のレベルとの差であるイメージ妨害比を求める。その後、同調電圧Ｖ１を固定し、同調電圧Ｖ２〜Ｖ４を順次スイープしながらイメージ妨害比を求める。そして、イメージ妨害比が最良になる同調電圧Ｖ２〜Ｖ４それぞれの値を検出し、検出した同調電圧Ｖ２〜Ｖ４それぞれの値と同調電圧Ｖ１の値を１ｃｈと対応させてＣＤ−ＲＯＭ等の記憶媒体に記憶する。これを必要なチャンネル分繰り返す。
【００３７】
なお、ＩＦ信号ＩＦ＿ＯＵＴのレベルの落ちを最大レベルから何デシベル落ちまで許容するかを予め設定しておき、許容範囲を超える場合はイメージ妨害比を多少悪化させても許容範囲内に収まるように同調電圧Ｖ２〜Ｖ４を再設定するようにしてもよい。これにより、ＩＦ信号ＩＦ＿ＯＵＴのレベルとイメージ妨害比のいずれも良好にすることができる。
【００３８】
続いて、上述したＩＦ信号ＩＦ＿ＯＵＴの所定の特性をビート妨害とした場合について説明する。例として１ｃｈを受信した際のビート妨害が最良になるための必要条件を記録媒体に記憶させる手順について図２を参照して説明する。
【００３９】
まず、信号発振器１５が１ｃｈに対応する高周波信号である９１．２５ＭＨｚ〜９５．７５ＭＨｚ帯域の高周波信号を発振している状態で、出力測定器１６は、局部発振回路８Ｕ及び８Ｖの局部発振周波数が１ｃｈに対応する周波数である１５０ＭＨｚと一致するように同調電圧Ｖ１を制御し、１ｃｈ帯域の高周波信号を入力したときのＩＦ信号のレベルを検出し、その後、信号発振器１５が１ｃｈのビート妨害に関わる周波数（複数の周波数帯域になる場合も有る）の高周波信号を発振している状態で、ビート妨害に関わる周波数の高周波信号を入力したときのＩＦ信号のレベルを検出し、１ｃｈ帯域の高周波信号を入力したときのＩＦ信号のレベルとビート妨害に関わる周波数の高周波信号を入力したときのＩＦ信号のレベルとの差であるビート妨害を求める。その後、同調電圧Ｖ１を固定し、同調電圧Ｖ２〜Ｖ４を順次スイープしながらビート妨害を求める。そして、ビート妨害が最良になる同調電圧Ｖ２〜Ｖ４それぞれの値を検出し、検出した同調電圧Ｖ２〜Ｖ４それぞれの値と同調電圧Ｖ１の値を１ｃｈと対応させてＣＤ−ＲＯＭ等の記憶媒体に記憶する。これを必要なチャンネル分繰り返す。なお、ビート妨害はすべてのチャンネルに発生するものではないため、全チャンネルについて上記手順を繰り返す必要はない。
【００４０】
なお、ＩＦ信号ＩＦ＿ＯＵＴのレベルの落ちを最大レベルから何デシベル落ちまで許容するかを予め設定しておき、許容範囲を超える場合はビート妨害を多少悪化させても許容範囲内に収まるように同調電圧Ｖ２〜Ｖ４を再設定するようにしてもよい。これにより、ＩＦ信号ＩＦ＿ＯＵＴのレベルとビート妨害のいずれも良好にすることができる。
【００４１】
続いて、上述したＩＦ信号ＩＦ＿ＯＵＴの所定の特性が最良になるための必要条件を、所定の使用地域に特有の問題を回避するための条件とした場合について説明する。出力測定器１６は、現在までに判明している使用地域に特有の問題を回避するための条件を内部メモリに記憶しており、所定の使用地域に特有の問題を回避するための条件をＣＤ等の記憶媒体に書き込む。なお、所定の使用地域に特有の問題を回避するための条件は複数でもよく、例えば東京地区に特有の問題を回避するための条件と大阪地区に特有の問題を回避するための条件とする。この場合、テレビ受信器が使用される地域に応じた条件をメモリ１２から読み出すようにすると、複数の使用地域においてそれぞれの使用地域に特有の問題を回避することができる。
【００４２】
また、出力測定器１６が、所定の使用地域に特有の問題を回避するための条件を満たす範囲でＩＦ信号ＩＦ＿ＯＵＴのレベルが最も大きくなるような同調電圧の値を検出し、その検出した値をＣＤ等の記憶媒体に書き込むようにしてもよく、所定の使用地域に特有の問題を回避するための条件を満たす範囲でＩＦ信号ＩＦ＿ＯＵＴのイメージ妨害比が最も良くなるような同調電圧の値を検出し、その検出した値をＣＤ等の記憶媒体に書き込むようにしてもよく、所定の使用地域に特有の問題を回避するための条件を満たす範囲でＩＦ信号ＩＦ＿ＯＵＴのビート妨害が最も良くなるような同調電圧の値を検出し、その検出した値をＣＤ等の記憶媒体に書き込むようにしてもよい。
【００４３】
次に、本発明の第二実施形態について説明する。本発明の第二実施形態に係るチューナ装置の構成を図３に示す。なお、図３において図１と同一の部分には同一の符号を付し詳細な説明を省略する。
【００４４】
図３に示すチューナ装置１０２が図１に示すチューナ装置１０１と異なる点は、モジュール体１４が同調ライン構成の異なるモジュール体１７に置換され、マイコン１３が同調電圧Ｖ１〜Ｖ４及びＶ１’〜Ｖ４’を出力することによって、局部発振回路８Ｕ及び８Ｖがそれぞれ別個の同調電圧によって制御され、バンドパスフィルタ３Ｕ及び３Ｖがそれぞれ別個の同調電圧によって制御され、バンドパスフィルタ５Ｕ及び５Ｖがそれぞれ別個の同調電圧によって制御され、バンドパスフィルタ６Ｕ及び６Ｖがそれぞれ別個の同調電圧によって制御される点である。
【００４５】
図１に示すチューナ装置１０１や図３に示すチューナ装置１０２において、例えば１ｃｈを受信する場合、ＶＨＦ部のバンドパスフィルタ３Ｖ、５Ｖ、及び６Ｖを信号が通過し、ミキサ７Ｖを経てＩＦ出力され、ＵＨＦ部のバンドパスフィルタ３Ｕ、５Ｕ、及び６Ｕには通常であれば信号は流れない。しかしながら、高周波回路においては、信号が通過する回路以外にも不必要な信号が通過する場合がよくある。
【００４６】
図１に示すチューナ装置１０１では、局部発振回路８Ｕ及び８Ｖが同一の同調電圧Ｖ１によって制御され、バンドパスフィルタ３Ｕ及び３Ｖが同一の同調電圧Ｖ２によって制御され、バンドパスフィルタ５Ｕ及び５Ｖが同一の同調電圧Ｖ３によって制御され、バンドパスフィルタ６Ｕ及び６Ｖが同一の同調電圧Ｖ４によって制御されるので、本来通過させたい周波数帯だけではなく不要な周波数帯も同調される場合があり、この不要な同調が必要な周波数帯域に悪影響を及ぼすおそれがある。
【００４７】
一方、図３に示すチューナ装置１０２では、局部発振回路８Ｕ及び８Ｖがそれぞれ別個の同調電圧Ｖ１及びＶ１’によって制御され、バンドパスフィルタ３Ｕ及び３Ｖがそれぞれ別個の同調電圧Ｖ２及びＶ２’によって制御され、バンドパスフィルタ５Ｕ及び５Ｖがそれぞれ別個の同調電圧Ｖ３及びＶ３’によって制御され、バンドパスフィルタ６Ｕ及び６Ｖがそれぞれ別個の同調電圧Ｖ４及びＶ４’によって制御されるので、例えば１ｃｈを受信する場合に不要な周波数帯が同調されてＩＦ出力されないような同調電圧Ｖ１〜Ｖ４の値を同調電圧Ｖ１’〜Ｖ４’の値とともにメモリ１２に記憶させることが可能となる。したがって、図３に示すチューナ装置１０２は、不必要な同調による悪影響を防止することができる。
【００４８】
次に、本発明の第三実施形態について説明する。本発明の第三実施形態に係るチューナ装置の構成を図４に示す。なお、図４において図１と同一の部分には同一の符号を付し詳細な説明を省略する。
【００４９】
図４に示すチューナ装置１０３が図１に示すチューナ装置１０１と異なる点は、全ての構成部品がモジュール化されておりモジュール体１８を形成している点である。図１に示すチューナ装置１０１では、モジュール体の製造メーカがモジュール体と個々のモジュール体に対応する記録媒体とをセットメーカに提供する必要があったが、図４に示すチューナ装置１０４では、モジュール体１８にメモリ１２及びマイコン１３が内蔵されているので、モジュール体の製造メーカが個々のモジュール体に対応する記録媒体をセットメーカに提供する必要がなくなり、セットメーカ側でのメモリ１２に上記記録媒体のデータを記憶させる作業が不要になる。
【００５０】
また、チューナ装置とそのチューナ装置の出力信号に基づいて復調信号を生成する復調部とを有する受信装置に本発明に係るチューナ装置を適用することによって、受信品質の低下を抑えることができる受信装置を実現することができる。
【００５１】
さらに、受信装置を有する電気機器（例えばＴＶなど）に本発明に係る受信装置を適用することで、信号のノイズやエラーを低減することができる電気機器を実現することができる。
【図面の簡単な説明】
【００５２】
【図１】は、本発明の第一実施形態に係るチューナ装置の構成を示す図である。
【図２】は、図１に示すチューナ装置が具備するモジュール体と信号発振器及び出力測定器との接続関係を示す図である。
【図３】は、本発明の第二実施形態に係るチューナ装置の構成を示す図である。
【図４】は、本発明の第三実施形態に係るチューナ装置の構成を示す図である。
【図５】は、従来のチューナ装置の一構成例を示す図である。
【図６】は、従来のチューナ装置の他の構成例を示す図である。
【符号の説明】
【００５３】
１  入力端子
２  ハイパスフィルタ
３Ｕ、３Ｖ  バンドパスフィルタ
４Ｕ、４Ｖ  ＲＦアンプ
５Ｕ、５Ｖ  バンドパスフィルタ
６Ｕ、６Ｖ  バンドパスフィルタ
７Ｕ、７Ｖ  ミキサ
８Ｕ、８Ｖ  局部発振回路
９  ＩＦアンプ
１０  ローパスフィルタ
１１  ＰＬＬ回路
１２  メモリ
１３  マイクロコンピュータ
１４、１７、１８  モジュール体
１５  信号発振器
１６  出力測定器
【図１】
2006100894.tif 000003
【図２】
2006100894.tif 000004
【図３】
2006100894.tif 000005
【図４】
2006100894.tif 000006
【図５】
2006100894.tif 000007
【図６】
2006100894.tif 000008